(57)【特許請求の範囲】
【請求項１】
木造構造物における土台または下部梁と上部梁と左右の柱との間に、
少なくとも壁厚方向の後面側に部材長手方向に係合用凹部と係合用突部とを交互に連続して設けた多数の木製小幅厚板が垂直面上に並列して積み重ねるように配置されると共に土台または梁と柱に係合されて前部壁面材が設けられ、
少なくとも前面側に部材長手方向に係合用凹部と係合用突部とを交互に連続して設けた多数の木製小幅厚板が垂直面上に並列して積み重ねるように配置されると共に土台または梁と柱に係合されて後部壁面材が設けられ、
さらに、前部壁面材と後部壁面材とは、前部壁面材の後面側の係合用凹部が、後部壁面材の前面側の係合用突部に係合し、前部壁面材の後面側の係合用突部が後部壁面材の前面係合用凹部に係合して、楔装置により前部壁面材と後部壁面材とが一体化されていることを特徴とする木製小幅厚板を備えた耐火・耐震壁。
【請求項２】
前記の前部壁面材を構成する各木製小幅厚板の前面側に、部材長手方向に係合用凹部と係合用突部とが交互に設けられ、後面側に部材長手方向に係合用凹部と係合用突部とを交互に設けた木製化粧用小幅厚板における係合用凹部と係合用突部とが前部壁面材の前面側の係合用突部と係合用凹部に係合されて、一体化されていることを特徴とする請求項１に記載の木製小幅厚板を備えた耐火・耐震壁。
【請求項３】
前記の後部壁面材を構成する各木製小幅厚板の後面側に、部材長手方向に係合用凹部と係合用突部とが交互に設けられ、前面側に部材長手方向に係合用凹部と係合用突部とを交互に設けた外装用木製小幅厚板における係合用凹部と係合用突部とが、後部壁面材の後面側の係合用突部と係合用凹部に係合されて、一体化されていることを特徴とする請求項１または２に記載の木製小幅厚板を備えた耐火・耐震壁。
【請求項４】
土台または梁とこれに間隔をおいて立設される柱に設けられた溝に、少なくとも壁厚方向の後面側に部材長手方向に係合用凹部と係合用突部とを交互に連続して設けた多数の木製小幅厚板をその端部を嵌合するようにして、垂直面上に並列して積み重ねるように配置すると共に土台または梁と柱に係合させて前部壁面材を設け、前記土台または梁とこれに間隔をおいて立設される柱に設けられた溝に、少なくとも壁厚方向の前面側に部材長手方向に係合用凹部と係合用突部とを交互に連続して設けた多数の木製小幅厚板の端部を嵌合すると共に、
前部壁面材を構成する小幅厚板の後面側の係合用凹部に、後部壁面材を構成する小幅厚板の前面側の係合用突部が係合するようにして、前部壁面材の後面側に後部壁面材の前面側を係合させて、前部壁面材と後部壁面材とを一体化し、次いで、柱および一体化された前部壁面材および後部壁面材に支持させるように上部梁を設置することを特徴とする耐火・耐震壁の構築方法。
【発明の詳細な説明】
【技術分野】
【０００１】
本発明は、木造建築物に適用される木製小幅厚板を備えた耐火・耐震壁およびその構築方法に関する。
【背景技術】
【０００２】
従来、上下の梁間に間隔をおいて柱を建て込み、上下の各梁と左右の各柱に囲まれた部分に、１枚の広幅パネルまたは多数の角材を並列して集合した広幅パネルを建て込むことが知られている（例えば、特許文献１参照）。
【特許文献１】特開２００７−４６３３５号公報
【発明の開示】
【発明が解決しようとする課題】
【０００３】
前記従来の場合は、壁に広幅のパネルとしているので、幅広で重量も重くなり、搬送設置に複数の人員が必要になるともに広幅パネルであるために一人での作業性が容易でないという問題があった。
本発明は、前記の課題を有利に解消した木製小幅厚板を備えた耐火・耐震壁およびその構築方法を提供することを目的とする。
【課題を解決するための手段】
【０００４】
前記の課題を有利に解決するために、第１発明の木製小幅厚板を備えた耐火・耐震壁では、木造構造物における土台または下部梁と上部梁と左右の柱との間に、
少なくとも壁厚方向の後面側に部材長手方向に係合用凹部と係合用突部とを交互に連続して設けた多数の木製小幅厚板が垂直面上に並列して積み重ねるように配置されると共に土台または梁と柱に係合されて前部壁面材が設けられ、
少なくとも前面側に部材長手方向に係合用凹部と係合用突部とを交互に連続して設けた多数の木製小幅厚板が垂直面上に並列して積み重ねるように配置されると共に土台または梁と柱に係合されて後部壁面材が設けられ、
さらに、前部壁面材と後部壁面材とは、前部壁面材の後面側の係合用凹部が、後部壁面材の前面側の係合用突部に係合し、前部壁面材の後面側の係合用突部が後部壁面材の前面係合用凹部に係合して、楔装置により前部壁面材と後部壁面材とが一体化されていることを特徴とする。
また、第２発明では、第１発明の木製小幅厚板を備えた耐火・耐震壁において、前記の前部壁面材を構成する各木製小幅厚板の前面側に、部材長手方向に係合用凹部と係合用突部とが交互に設けられ、後面側に部材長手方向に係合用凹部と係合用突部とを交互に設けた木製化粧用小幅厚板における係合用凹部と係合用突部とが前部壁面材の前面側の係合用突部と係合用凹部に係合されて、一体化されていることを特徴とする。
また、第３発明では、第１発明または第２発明の木製小幅厚板を備えた耐火・耐震壁において、前記の後部壁面材を構成する各木製小幅厚板の後面側に、部材長手方向に係合用凹部と係合用突部とが交互に設けられ、前面側に部材長手方向に係合用凹部と係合用突部とを交互に設けた外装用木製小幅厚板における係合用凹部と係合用突部とが、後部壁面材の後面側の係合用突部と係合用凹部に係合されて、一体化されていることを特徴とする。
また第４発明の耐火・耐震壁の構築方法においては、土台または梁とこれに間隔をおいて立設される柱に設けられた溝に、少なくとも壁厚方向の後面側に部材長手方向に係合用凹部と係合用突部とを交互に連続して設けた多数の木製小幅厚板をその端部を嵌合するようにして、垂直面上に並列して積み重ねるように配置すると共に土台または梁と柱に係合させて前部壁面材を設け、前記土台または梁とこれに間隔をおいて立設される柱に設けられた溝に、少なくとも壁厚方向の前面側に部材長手方向に係合用凹部と係合用突部とを交互に連続して設けた多数の木製小幅厚板の端部を嵌合すると共に、前部壁面材を構成する小幅厚板の後面側の係合用凹部に、後部壁面材を構成する小幅厚板の前面側の係合用突部が係合するようにして、前部壁面材の後面側に後部壁面材の前面側を係合させて、前部壁面材と後部壁面材とを一体化し、次いで、柱および一体化された前部壁面材および後部壁面材に支持させるように上部梁を設置することを特徴とする。
【発明の効果】
【０００５】
本発明によると、耐震壁を構成する部材として鋼材に比べて柔軟性がありかつ板厚の厚い多数の木製小幅厚板を使用したので、圧縮力または引張力あるいはせん断力を負担する耐震壁用の部材として強度が大きく、また、大型で広幅の木製パネルを使用する場合に比べて、安価な間伐材等を有効に利用することができ、また、板厚も厚いので耐火性も確保することができ、耐火性および耐震性のある安価な耐火耐震壁とることができる。
また、柱と梁の間に配置された前面壁面材と後面壁面材とが一体化されているので、地震動時において、水平力が入力された場合、前面壁面材および後面壁面材が共同して抵抗して、柱または梁に圧縮力または引張力あるいはせん断力等の応力を伝達させることができる効果が得られる。
また、本発明の小幅厚板は、間伐材を有効に活用することができるので、安価な小幅厚板を間伐材から製作することができる。
また、本発明の耐火・耐震壁の構築方法によると、土台または梁と柱とに設けた溝に、端部が係合するように前部壁面材あるいは後部壁面材を積み重ね配置すると共に、前部壁面材および後部壁面材の各小幅厚板の係合用凹部と係合用突部を係合させて一体化するので、安価な小幅厚板を使用して、柱の間に容易に耐震壁を構築することができる。また、小幅厚板を使用するので、耐火壁とすることができる。
【発明を実施するための最良の形態】
【０００６】
次に、本発明を図示の実施形態に基づいて詳細に説明する。
【０００７】
図１〜図３には、本発明の第１実施形態の木製小幅厚板を備えた耐火・耐震壁１が示されている。また図４には、本発明において使用される木製小幅厚板２が示されている。前記のような小幅厚板２が、正面視で直角２等辺三角形、あるいは正面視で左右対称な台形、さらには、正面視で点対称な菱形に切断されて使用される。なお、図示を省略するが、このように切断されて使用する場合には、小幅厚板２に設けられる後記の係合用突部あるいは係合用凹部は、小幅厚板２を積み重ねた場合にその上下方向で連続するように、また位相が合致するように、小幅厚板２の端部が切断されたものが使用される。
本発明においては、木製柱、木製梁、木製板材であるので、以下では単に、主として、柱、梁、板で記載する。また、本発明において使用する小幅厚板２としては、板厚が２５〜６０ｍｍ以上、このましくは、前後の複数の小幅厚板２相互を一体化した壁パネル状の板厚で、その板厚が耐火性を確保するために少なくとも６０ｍｍであり、小幅厚板２の幅寸法が１００ｍｍ〜３００ｍｍに加工（製品化）された厚板部材が使用される。
【０００８】
先ず、図４を参照しながら、本発明において使用される前部側の小幅厚板２および後部側の小幅厚板３について説明すると、これらの小幅厚板は、予め工場等においてプレカットされた細幅パネル状のものであり、前部側および後部側の各小幅厚板２，３は、その部材長手方向に係合用凹部４と係合用突部５とを交互に連続して設けた木製小幅厚板である。この実施形態では、便宜上、前部側の小幅厚板２と後部側の小幅厚板３と、符号を分けて使用しているが、前部側の小幅厚板２を１８０°反転配置して、後部側の小幅厚板３と使用しているため、前部側である部分に配置されている小幅厚板２は、同レベルにおいて１８０°反転配置して、後部側の小幅厚板３として使用されている。したがって、図４（ａ）および図４（ｂ）に示す部材は、同じ部材である。また、後記の実施形態において使用する図４（ｃ）に示す部材も、前後の小幅厚板で同じ部材が使用され、係合用突部５および係合用凹部４の傾斜方向は、正面視で前面側および後面側で同じ方向の部材が使用される。なお、図示を省略するが、係合用突部５および係合用凹部４の傾斜方向は、図４（ｄ）では、左下方向に下がるように傾斜しているが、右下方向に下がるように傾斜してもよい。
【０００９】
前記の木製小幅厚板は、その片面に係合用凹部４または係合用突部５を連続して形成する場合には、前部側壁面材あるいは後部側壁面材を組み立てる部材として配置されて使用される形態により、同じ部材であっても１８０°反転配置しているため、前記の係合用突部５または係合用凹部４を設ける側が、第１実施形態では前後面（表裏）で異なる。
【００１０】
すなわち、室内側に位置する前部側壁面材６（図１、図３参照）を組み立てる部材として使用する場合の前部側の小幅厚板２では、その後面側に、部材長手方向に係合用凹部４と係合用突部５が交互に連続して設けられ、前記の係合用凹部４と係合用突部５は、小幅厚板２の幅一杯に形成される。
また、前部側壁面材６を組み立てる部材として使用する小幅厚板２の前面側は、この形態では、他の部材を設けないため、平坦面とされている。
また、室外側に位置する後部側壁面材７（図１、図３参照）を組み立てる部材として小幅厚板３を使用する場合では、その前面側に、部材長手方向に係合用凹部４と係合用突部５が交互に連続して設けられ、前記の係合用凹部４と係合用突部５は、小幅厚板３の幅一杯に形成される。
また、後部側壁面材７を組み立てる部材として使用する小幅厚板２の後面側（室外側）は、この形態では、他の部材を設けないため、平坦面とされている。
前記の係合用突部５および係合用凹部４は、部材長手方向に交差する４５°方向に傾斜した方向に連続するように設けられている。
前記のような、前部側の小幅厚板２と後部側の小幅厚板３は、組み立て時において、便宜上、上部梁８を上方に浮かした状態の図２で説明すると、上部梁８が柱９の胴付き部１０に架設されないで状態（好ましくは、上部梁８の縦孔１１内に柱９のほぞ１２が係合して胴付き部１０に載置されないで状態で、上部梁８下面側の溝１３の深さ以上に浮かされた状態）において、土台または下部梁１４（および上部梁８）と２つの柱９の間の開口部内に、土台または下部梁１４に対して４５°に傾斜した状態で配置されるため、所定長さにされた小幅厚板２の部材長手方向の両端部は、４５°に傾斜した状態で切断され、そして配置される箇所により、例えば、下隅部または上隅部に配置される部材では、正面視で直角２等辺三角形に、中間部下側に配置される部材では正面視で左右対称な台形に、中間部上側に配置される部材では、正面視で点対称な菱形の形態に製作される。
【００１１】
前記の係合用突部５および係合用凹部４の断面形態について説明すると、係合用凹部４と係合用突部５との境界壁１８と反対側の片側壁１５ａの下部に係止溝１５を部材幅方向（傾斜しているので部材長手方向および部材幅方向）に連続して形成してあり、また、前記の係止溝１５に接続するように係止突条１５ｂを部材幅方向（傾斜しているので部材長手方向および部材幅方向）に連続して形成している。
前部側の小幅厚板２の係合用突部５の部材長手方向の長さ寸法は、係合用凹部４の部材長手方向の長さ寸法よりも小さくされて、前部側の小幅厚板２および後部側の小幅厚板３のうちの一方の部材における係合用突部５が、他方の部材における係合用凹部４に挿入配置可能にされて、若干スライドさせて係止可能にされている。
【００１２】
前記のような、前部側の小幅厚板２と後部側の小幅厚板３とを使用して、耐火・耐震壁１を構築する場合について図２および図１を参照して説明する。
【００１３】
図２に示すように、木製土台または木製下部梁１４の上面および木製上部梁８の下面には、その幅方向の中間部に長手方向に連続する溝１３が設けられ、また、木製土台または木製下部梁１４あるいは木製上部梁８には、その長手方向に間隔をおいて、角形の凹部等の縦孔または貫通孔１が設けられている。
【００１４】
上下両端部に断面角形状のほぞ１２，１２を有する柱９が間隔をおいて立設配置され、各柱の前記下部ほぞ１２が土台または下部梁１４の貫通孔１１に嵌合されると共に、梁１４の前後の各角形横孔１６と柱９のほぞ１２に設けた角形横孔１６とに渡って、断面角形の込栓２１が圧入固定されて、土台または下部梁１４に柱９が立設固定され、土台または下部梁１４と間隔をおいた一対の柱９および一対の柱９の上端部の胴付き部から上部梁８を浮かした状態のフレーム構造が構築される。
前記の上部梁８を下位に位置する柱９の胴付き部１０から浮かす高さ寸法は、上部梁８下面側に設ける溝１３の深さ寸法よりも多くしておく必要がある。
このようにすることにより、前後の壁面材を構成するための小幅厚板を下から順に積み重ねるように配置することができる。
【００１５】
前記のように、上部梁８が浮かされた状態で、前部側の小幅厚板２が、図２の右下隅部から順に、正面視で直角２等辺三角形の小幅厚板２が土台または下部梁１４および柱９に釘止め２４され、その正面視で直角２等辺三角形状の小幅厚板２における右上から左下方向の４５°に傾斜している傾斜上面に、正面視左右対称な台形状の小幅厚板２が土台または下部梁１４および柱９に釘止め２４された状態で順次複数積み重ねられる。
前記のように、前部壁面材６の対角方向の下部側では、各小幅厚板２は柱９と土台または梁１４に釘止め２４されて積み重ねられるため、これらにより、全体として正面Ｌ形のフレーム構造となり、上部梁８にその軸方向の水平力が作用した場合に、小幅厚板２に引張力または圧縮力が作用した場合、土台または梁あるいは柱９に水平力等の力を伝達可能にされている。
【００１６】
最上部の左右対称な正面視台形の小幅厚板２の傾斜上面に、ほぼ耐震壁の対角方向中央に位置し、正面視で左右両端部が点対称で菱形の小幅厚板２が積み重ねられ、前記の正面視で菱形の小幅厚板２を境にして、前記下部側の小幅厚板２と対称な正面視で台形の小幅厚板２が順次積み重ねられる。
【００１７】
そして、最後に、左上隅部に、正面視で直角２等辺三角形状の小幅厚板２が積み重ねられて、前部壁面材６が構成されている。
【００１８】
なお、上部側の小幅厚板２は、柱または梁に固定されないで、柱９または梁８，１４あるいは土台１４に設けられた溝１３に係止されるように配置されている。
前記のように、前部壁面材の対角方向の上部側では、各小幅厚板２は柱９と土台または梁１４に釘止め２４されないで積み重ねられるため、これらにより、上部梁８にその軸方向の水平力が作用した場合に、小幅厚板２に圧縮力が作用した場合、土台または梁あるいは柱９に伝達可能にされている。
【００１９】
前記のように前部壁面材６が構成されているため、各小幅厚板２の後面側では、係合用突部５および係合用凹部４は、上下方向（鉛直方向）に直線状に連続するようになっている。
【００２０】
また、前記の前部壁面材６の後面に、前記の各傾斜上面と直交する方向に、左下隅から、直角２等辺三角状の小幅厚板３が配置されると共に、前部側の小幅厚板２における後面側の係合用突部５または係合用凹部４と、後部側の小幅厚板３における係合用凹部４または係合用突部５と係合され、適宜境界壁１８間に図１１に示すような適宜長さの拡開用楔装置１９が圧入されて、柱９または土台または下部梁１４に圧着された状態で釘止め２４される。
【００２１】
なお、木材であるため、釘止め２４された後に、楔装置１９を圧入することも可能である。なお、前記の土台または下部梁１４には、楔装置１９の下端部を嵌合配置する溝が設けられている。前記の楔装置１９を介して、前後の壁面材間の応力の伝達が可能になっている。
ここで、前記の楔装置１９の構造について簡単に説明すると、図１１（ａ）に示すように、部材長手方向の片面に楔装置１９は、一対の棒状楔１９ａ，１９ｂによって構成され、角棒状楔体１９ａ，１９ｂの片面が平坦面１９ｃであり、反対面に勾配をもつ多数の傾斜面１９ｄを直列に備えており、直列に隣り合う各傾斜面１９ｄは、境界段差部１９ｅを介して連続し、前記の境界段差部１９ｅは棒状楔体１９ａ，１９ｂの片面の平坦面１９ｃに対して垂直な面またはこれに近い傾斜面とされている。一対の棒状楔１９ａ，１９ｂでは前記の多数の傾斜面１９ｄの長手方向寸法を比較的短くして等しくしてある。そして一対の棒状楔１９ａ，１９ｂの多数の傾斜面１９ｄ，１９ｄを密接して重ねて構成され、前記の境界面１８間に挿入し、図１１（ｂ）に示すように、棒状楔１９ａ，１９ｂを相互移動すると、傾斜面１９ｄ，１９ｄ同士の摺動によって棒状楔１９ａ，１９ｂが左右方向に変位し、境界面１８相互を離反させるように作用し、各小幅厚板２，３の端部を柱９の溝１３底部に圧着させる。
なお、楔装置１９は、多数の連続する傾斜面１９ｄの長手方向寸法を比較的短く構成してあるから、長いものであっても比較的短い相互移動によって確実な楔作用が得られる。
なお、楔装置１９は、適宜の長さに切断して使用することもできる。また、本発明では、前記の楔装置１９は、平面矩形状であり、上部梁８に設けられる縦貫通孔１１ａから挿入可能な寸法に設定される。
なお、図１，２等では、傾斜面１９ｄを省略して縦線１本で表現している。
【００２２】
以下前記と同様、左上から右下方向の４５°に傾斜している傾斜上面に、左右対称な正面台形状の小幅厚板３が配置されて拡開用楔装置１９が圧入された上、柱９または土台または下部梁１４に釘止め２４された状態で順次複数積み重ねられ、その最上部の傾斜上面に、ほぼ耐震壁の対角方向中央に位置し左右両端部が点対称で正面菱形形状の小幅厚板３が積み重ねられ、柱９または土台または下部梁１４に釘止め２４される。
前記のように、後部壁面材の対角方向の下部側では、各小幅厚板３は柱９と土台または梁１４に釘止め２４されて積み重ねられるため、これらにより、全体として正面逆Ｌ形のフレーム構造となり、地震時において上部梁８にその軸方向の水平力が作用した場合に、小幅厚板３に引張力または圧縮力が作用した場合、土台または梁あるいは柱９に水平力等の力を伝達可能にされている。
また、前記の正面菱形形状の小幅厚板３を境にして、前記下部側の小幅厚板３と対称な正面台形状の小幅厚板３が、係合用突部５および係合用凹部４が係合された状態で順次積み重ねられる。
【００２３】
そして最後に、右上隅部に、正面視で直角２等辺三角形状の小幅厚板３が積み重ねられて、後部壁面材７が構成されている。なお、対角方向を境にして上部側の小幅厚板２は、柱または梁に固定されないで、柱９または梁８，１４に設けられた溝１３に係止されるように配置され、拡開用楔装置１９の圧入により、柱９または土台または梁１４に係合した耐火・耐震壁１が構成される。
前記のように、後部壁面材の対角方向の上部側では、各小幅厚板３は柱９と土台または梁１４に釘止め２４されないで積み重ねられるため、これらにより、上部梁８にその軸方向の水平力が作用した場合に、小幅厚板２に圧縮力が作用した場合、土台または梁あるいは柱９に伝達可能にされている。
すなわち、地震時において、前部壁面材の下部の小幅厚板２に圧縮力（図１において、上部梁８の左から右方向に水平力が作用した場合）が作用している状態では、後部壁面材７の下部の小幅厚板３では引張力に抵抗する構造であり、前部壁面材の上部では圧縮力に抵抗する構造であり、後部壁面材の上部では、圧縮力に抵抗する構造になっている。
【００２４】
前記のように組立てた後、図２に示すように、上部梁８が降下配置されて、上部梁８下面側の溝１３に、前部壁面材６および後部壁面材７の上端部が嵌合され、また、上部梁８の各角形貫通横孔１６に、各柱９の上部角形ほぞ１２が嵌合され、上部梁８の前後の角形横孔１６と柱９の上部角形ほぞ１２に設けた角形横孔１６とに渡って、断面角形の込栓２１が圧入固定されて、前記各柱９と上部梁８とは固定されている。
【００２５】
また、上部梁８には、上部梁８を貫通する縦貫通孔１１ａからなる太径の錐孔２２が設けられている。前記の太径化の錐孔２２は、前後の壁面材６，７を左右方向に圧着している拡開用楔装置１９の配置位置に対向して設けられていると共に、前記の拡開用楔装置１９を挿通配置可能な大きさとされている。
前記のように、前記前後の壁面材６，７を左右方向に圧着している拡開用楔装置１９の配置位置に向かって、前後の壁面材６，７の上部に前記太径の錐２２から錐により前記太径の錐孔２２と同径の孔２３が穿設され、その孔に渡って、太径の込栓２１ａが圧入されて、前後の壁面材６，７と上部梁８とは横方向に一体化され、上部梁８から前後の壁面材６，７にせん断力の伝達が可能にされている。また、前部壁面材６および後部壁面材７および楔装置１９による耐火・耐震壁１は、柱９と上部梁８と土台または下部梁１４の溝１３に係合して、前後方向（壁面に垂直な方向）の移動が拘束される。
【００２６】
前記のように、土台または下部梁１４と、一対の各柱９と、上部梁８に係合して前後の壁面材６，７が一体化された耐火・耐震壁１が構成されている。
【００２７】
前記の場合、下部側に位置する前後の壁面材６，７を構成する小幅厚板２、３は、図１０（ａ）（ｂ）に示すように、ねじ釘等による釘止め２４を省略し、拡開用楔装置１９のみを使用して、前後の小幅厚板２相互の一体化および前後の壁面材６，７の一体化を図るようにしてもよい。
【００２８】
なお、図１０に示す形態では、前記のように、前部壁面材および後部壁面材を構成している個々の小幅厚板２，３は、釘止めされていないので、上部梁８にその軸方向の水平力が作用した場合、前部壁面材側の小幅厚板２が引張力を負担しない場合には、後部壁面材３で圧縮力を負担して抵抗するようになり、また、後部壁面材側の小幅厚板３が引張力を負担しない場合には、前部壁面材の小幅厚板２が圧縮力に抵抗する構造になっている。
【００２９】
図５には、本発明の第２実施形態の耐火・耐震壁１が示されている。この形態では、図６に示すように、前部の小幅厚板２の後面に、部材長手方向に直角に、係合用突部５および係合用凹部４が交互に部材長手方向に連続して設けられている形態の前後の小幅厚板２，３を組み込むようにして耐火・耐震壁１を構築した形態である。
【００３０】
前記の係合用突部５および係合用凹部４が部材長手方向に直角に設けられている以外は、前記実施形態の場合と同様であるので、同様な部分には同様な符号を付して説明を省略する。
【００３１】
このような形態では、前後の小幅厚板２，３は、横向き（水平状態で）に配置されると、係合用突部５および係合用凹部４は上下方向（鉛直方向）に一直線上に配置され、また、後部側の各小幅厚板２における前面側の係合用凹部４が、前部側の各小幅厚板２における後面側の係合用突部５に係合され、楔装置１９により一体化されて耐火・耐震壁１が構成されている。
【００３２】
図８〜図９は本発明の第３実施形態の耐火・耐震壁１を示すものであって、この形態では、図４（ｃ）（ｄ）に、係合用突部５および係合用凹部４を有する小幅厚板２の平面パターンおよび側面パターンを示すように、前部側の小幅厚板２の後面における部材長手方向に係合用突部５および係合用凹部４とを交互に連続して設けている構成は、前記実施形態と同様である。
【００３３】
さらにこの形態では、前部側の小幅厚板２の前面に、部材長手方向に渡って係合用凹部４と係合用突部５とを交互に連続して設けた形態で、係合用突部５および係合用凹部４は、部材幅方向に連続して設けられている。
【００３４】
前記の前部側の小幅厚板２における前面および後面における係合用突部５および係合用凹部４の傾斜方向は、正面視で同じ方向に傾斜し、部材長手方向に対する傾斜角は４５°である。
【００３５】
また、後部側の小幅厚板３の前面側における係合用突部５および係合用凹部４は前記の実施形態と同様で、さらに、後部側の小幅厚板３の後面側には、部材長手方向に係合用凹部４と係合用突部５とが交互に設けられている。前記後部側の小幅厚板３の前面および後面の係合用凹部４および係合用突部５の傾斜方向は正面視で同じ方向で、例えば、部材長手方向に対して４５°に傾斜されている。
【００３６】
前記の前部側の小幅厚板２の後面と、後部側の小幅厚板３の前面とを係合させ、拡開用楔装置１９を用いて柱９あるいは土台または下部梁１４に圧着する点は、前記実施形態と同様であると共に、下部側に位置する小幅厚板２を、土台または柱９に釘止め２４して、前部壁面材６および後部壁面材７を一体化して耐火・耐震壁１を構成する点も同様である。
【００３７】
そして、この形態では、多数の前部側の小幅厚板２により構成される前部壁面材６における上下方向に連続した係合用凹部４と係合用突部５に、図６に示すような小幅厚板を前部化粧用小幅厚板２ａとして用い、下から順に積み重ねて横方向にスライドさせて、化粧用小幅厚板２ａ後面の係合用突部５を、前部側の小幅厚板２前面の係合用凹部４に係合させる。
【００３８】
次いで、図１１に示すような拡開用楔装置１９が、前部壁面材６と各前部の化粧用小幅厚板２の境界壁１８間に配置されて、一方の棒状楔１９ａ（１９ｂ）が押し込められて、化粧用小幅厚板２ａと前部壁面材６とが結合一体化される。前記の多数の化粧用小幅厚板２ａにより化粧用壁面材が構成されている。なお、適宜柱９または上部梁８あるいは土台または下部梁１４における溝１３と前部壁面材６および後部壁面材７の端部との隙間に木製ガタ防止用材２６が圧入固定される。
【００３９】
さらに、図９（ｂ）に示すように、前部化粧用小幅厚板２ａの各端部と前部壁面材６と、柱９との間隙には、木製間隙閉塞材２５が圧入固定されるか、または接着材により化粧用小幅厚板２ａまたは柱９あるいは、前部壁面材６に固定されている。
【００４０】
また、多数の後部側の小幅厚板３により構成される後部壁面材７における上下方向に連続した係合用凹部４と係合用突部５には、前記と同様に、図６に示すような外装用小幅厚板２の係合用凹部４および係合用突部５とが、後部壁面材７後面の係合用突部５および係合用凹部４に係合された上、前記と同様に、図１１に示すような拡開用楔装置１９が境界壁１８間に配置されて、楔装置１９における一方の棒状楔１９ａ（１９ｂ）が押し込められて、外装用小幅厚板２と後部壁面材７とが結合一体化される。前記の多数の外装用小幅厚板２ｂにより外装壁面材が構成されている。
【００４１】
さらに後部の外装用小幅厚板２の各端部と後部壁面材７と、柱９との間隙には、木製間隙閉塞材２５が圧入固定されるか、または接着材により外装用小幅厚板または柱９あるいは、後部壁面材７に固定されている。この形態では、化粧用小幅厚板２ａによる化粧用壁面材６ａおよび外装用小幅厚板２ｂによる外装用壁面材７ｂおよび楔装置１９により耐火・耐震壁１が構成されている。
なお、前記実施形態では、前部壁面材６および後部壁面材７あるいは化粧用壁面材６ａおよび外装用壁面材７ａにより鉛直荷重を負担することも可能である。
【００４２】
図１に示す第１実施形態および図１０に示す形態の概略施工手順は、以下の（１）〜（１４）のようになる。
（１）前後の壁面材あるいは仕上げ用あるいは外装用の小幅厚板２，３からなるパネルの端部を係合させるための差込係止溝１３を設けた土台または下部梁１４あるいは上部梁８あるいは柱９を設置する。
（２）上部梁８は、パネル差込溝１３の深さ以上、柱９上端部から浮かした状態で適宜仮保持した状態で配置し、小幅厚板２，３の端部を係止可能にする。
（３）前部側または後部側の壁面材の内の一方の下部（対角線を境界とした下段側）を構成するために、無垢木材または合成パネルからなる小幅厚板２、３を、土台または下部梁１４いっぱいになるまで積み重ねる。必要に応じ、土台または下部梁１４あるいは柱９に釘止めする。
（４）前部側または後部側の壁面材の内の他方の下部（対角線を境界とした下段側）を構成するために、無垢木材または合成パネルからなる小幅厚板２、３を、土台または下部梁１４いっぱいになるまで積み重ねる。必要に応じ、土台または下部梁１４あるいは柱９に釘止め２４する。
（５）前部および後部の壁面材６，７における境界壁１８間に楔装置１９を打ち込み、前後の壁面材の下部の一体化を図る。また、土台と下部柱と柱の下端部とのほぞとに渡って、込栓を打ち込んで、一体化する。
（６）前部側または後部側の壁面材の内の一方の上部（対角線を境界とした上段側）を構成するために、無垢木材または合成パネルからなる小幅厚板２（３）を、いっぱいになるまで積み重ねる。
（７）前部側または後部側の壁面材の内の他方の上部（対角線を境界とした上段側）を構成するために、無垢木材または合成パネルからなる小幅厚板３（２）を、いっぱいになるまで積み重ねる。
（８）前後の壁面材における上部（対角線を境界とした上段側）の小幅厚板を柱９に必要に応じ釘止めする。
（９）上部梁８を柱９上端部の胴付き部１０に落とし込む。
（１０）上部梁８と柱上端部に渡って、込栓２１を打ち込み一体化させる。
（１１）上部梁８における直列に間隔をおいて設けた大径縦貫通孔１１より、前後の壁面材６，７の境界壁１８間に、小幅厚板２結合用の楔装置１９を挿入して打ち込んで、上部の各前後の壁面材６，７相互の一体化を図ると共に、錐もみ可能にする。
（１２）上部梁８の大径縦貫通孔１１から、大径縦貫通孔１１と同径のキリで、上部梁８下面から下方に６ｍｍ程度の深さに渡って、前記楔装置１９の上部を削りとるように、各前後の壁面材６，７（各小幅厚板）を浅孔２３あける。
（１３）上部梁８の大径縦貫通孔１１から大径込栓２１を前記浅孔２３下端まで打ち込んで、上部梁８と一体化されている前後の壁面材６，７の上部を結合一体化する。
なお、図５に示す形態では、前記（３）（４）（６）（７）の工程を一度に行って、小幅厚板２，３を順次下から順に積み上げるようにすればよい。
また、図９に示す形態では、前記の（９）の工程の前に、化粧用小幅厚板２ａによる化粧用壁面材６ａおよび外装用小幅厚板２ｂによる外装用壁面材７ｂを構築するようにし、化粧用小幅厚板２ａによる化粧用壁面材６ａおよび外装用小幅厚板２ｂによる外装用壁面材７ｂの上に上部梁８を載置するようにすればよい。
【００４３】
本発明を実施する場合、前部壁面材６と化粧用小幅厚板２との係合一体化および後部壁面材７と外装用小幅厚板２との係合一体化のための、係合用突部および係合用凹部の傾斜方向は、前記実施形態の場合と逆方向に傾斜する係合用突部または係合用凹部４を設けた形態の小幅厚板としてもよい。
【００４４】
また、前部側の小幅厚板２の後面に設ける係合用突部または係合用凹部の傾斜方向、および後部側の小幅厚板の前面に設ける係合用突部または係合用凹部に設ける傾斜方向としては、前記実施形態の傾斜方向に直角な反対方向に傾斜する係合用凹部および係合用としてもよい。
【００４５】
前記各実施形態を実施する場合、図７に示すように、木製支柱９の外側に、柱外装用小幅厚板２を配置し、後部壁面材７と、柱外装用小幅厚板２との間を、木製間隙閉塞材２５により閉塞するようにしてもよい。この場合、図示を省略するが、柱外装用小幅厚板２および木製間隙閉塞材２５を柱９に釘止めあるいは接着剤あるいはこれらを併用して適宜固定すればよい。このように、柱９の室外側が柱外装用小幅厚板２および木製間隙閉塞材２５により被覆されていると、耐火性能を向上させることができる。
なお、前記の木製間隙閉塞材２５としては、小幅厚板と同等の板厚寸法を有する部材とするとよい。
【００４６】
なお、本発明において使用される小幅厚板２，３、柱９、上部梁８または土台または下部梁１４、楔装置１９、込栓２１および間隙閉塞材２５としては、堅木を用いることが望ましい。
【図面の簡単な説明】
【００４７】
【図１】本発明の第１実施形態の木製小幅厚板を備えた耐火・耐震壁を示す正面図である。
【図２】本発明の第１実施形態の木製小幅厚板を備えた耐火・耐震壁を組み立てている途中の状態を示す正面図である。
【図３】（ａ）は図１のＡ−Ａ線断面図、（ｂ）図１のＢ−Ｂ線断面図である。
【図４】本発明において使用する木製小幅厚板のパターンを示すものであって、（ａ）（ｂ）は片面に係合用凹部および係合用突部を交互に連続して設けた小幅厚板（パネル）の平面図、（ｃ）は前後の両面に係合用凹部および係合用突部を交互に連続して設けた小幅厚板（パネル）の平面図、（ｄ）は（ｂ）および（ｃ）における正面図である。
【図５】（ａ）は本発明の第２実施形態の木製小幅厚板を備えた耐火・耐震壁を示す正面図、（ｂ）は（ａ）の縦断側面図である。
【図６】第２実施形態の木製小幅厚板を備えた耐火・耐震壁に用いられる小幅厚板（パネル）のパターンを示すものであって、（ａ）（ｂ）は平面図、（ｃ）は正面図である。
【図７】柱の室外側に木製耐火被覆を設ける形態を示す横断平面図である。
【図８】本発明の第３実施形態の木製小幅厚板を備えた耐火・耐震壁を示す正面図である。
【図９】（ａ）は図８のＣ−Ｃ線断面図、（ｄ）は図８のＤ−Ｄ線断面図である。
【図１０】（ａ）は本発明の第４実施形態の木製小幅厚板を備えた耐火・耐震壁を示す正面図、（ｂ）は（ａ）のＥ−Ｅ線断面図である。
【図１１】本発明において用いられる楔装置の一形態を示すものであって、（ａ）は楔装置が縮小している状態を示す側面図、（ｂ）は楔装置が拡大している状態を示す側面図、（ｃ）は（ａ）の平面図である。
【符号の説明】
【００４８】
１  耐震・耐火壁
２  小幅厚板（前面側）
３  小幅厚板（後面側）
４  係合用凹部
５  係合用突部
６  前部側壁面材
７  後部側壁面材
８  上部梁
９  柱
１０  胴付き部
１１  縦孔または縦貫通孔
１１ａ  縦貫通孔
１２  ほぞ
１３  上部梁の下面側の溝（または土台または下部梁の上面側の溝）
１４  土台または下部梁
１５  係止溝
１５ａ  片側壁
１５ｂ  係止突条
１６  角形横孔
１７  前部壁面材
１８  境界壁
１９  楔装置
１９ａ  棒状楔
１９ｂ  棒状楔
１９ｃ  平坦面
１９ｄ  傾斜面
１９ｅ  境界段差部
２０  後部壁面材
２１  込栓
２２  錐孔
２３  孔
２４  釘止め
２５  間隙閉塞材
２６  木製ガタ防止用材
【図１】
0004819783.tif 000002
【図２】
0004819783.tif 000003
【図３】
0004819783.tif 000004
【図４】
0004819783.tif 000005
【図５】
0004819783.tif 000006
【図６】
0004819783.tif 000007
【図７】
0004819783.tif 000008
【図８】
0004819783.tif 000009
【図９】
0004819783.tif 000010
【図１０】
0004819783.tif 000011
【図１１】
0004819783.tif 000012